(57)【要約】【課題】マグネットスクリーンの両端部が、捲れ上がることがなくて、被磁着体から浮き上がりを生じることなく張設することのできるマグネットスクリーンを提供する。【解決手段】少なくとも、一方の表面にスクリーン層４ａを有し、他方の表面にマグネット層４ｂを有するスクリーン本体４と、スクリーン本体４を巻き取るための巻取りロール３と、を備え、スクリーン本体４の巻き取り方向の一端部におけるマグネット層４ｂ側の面が、巻取りロール３に接合され、スクリーン本体４は、マグネット層４ｂ側を内側にして巻取りロール３にロール状に巻き取られている収納状態から使用時に引き出されて張設される構成とする。【選択図】図３
2015045715.tif 000002
【特許請求の範囲】
【請求項１】
少なくとも、一方の表面にスクリーン層を有し、他方の表面にマグネット層を有するスクリーン本体と、
前記スクリーン本体を巻き取るための巻取りロールと、を備え、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設されるものであることを特徴とするマグネットスクリーン。
【請求項２】
収納ケースと、
前記収納ケースに対し回動自在に取り付けられた巻取りロールと、
少なくとも、一方の表面にスクリーン層を有し、他方の表面にマグネット層を有するスクリーン本体と、
前記収納ケースに取り付けられた押さえ部と、を備え、
前記押さえ部の長さは、前記スクリーン本体の幅より大きく設定され、又は前記スクリーン本体の幅と同一に設定され、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設され、
前記張設されたスクリーン本体における前記巻取りロールに近接した部位を幅全体にわたって前記押さえ部によって被磁着体側に向けて押さえ付け得るものとなされていることを特徴とするマグネットスクリーン。
【請求項３】
前記押さえ部は、前記収納ケースに対し移動可能に取り付けられ、
前記押さえ部は、被磁着体から離れた第１配置態様と、被磁着体に近接した第２配置態様の少なくとも２つの配置態様を採ることができるものとなされている請求項２に記載のマグネットスクリーン。
【請求項４】
前記押さえ部は、前記第２配置態様の状態で固定できるように構成されている請求項３に記載のマグネットスクリーン。
【請求項５】
前記押さえ部は、前記巻取りロールの軸線に対し平行状に配置された棒状体で形成されている請求項２〜４のいずれか１項に記載のマグネットスクリーン。
【請求項６】
収納ケースと、
前記収納ケースに対し回動自在に取り付けられた巻取りロールと、
少なくとも、一方の表面にスクリーン層を有し、他方の表面にマグネット層を有するスクリーン本体と、を備え、
前記収納ケースの長さは、前記スクリーン本体の幅より大きく設定され、
前記収納ケースは、ケース本体と、可動体とを備え、
前記可動体の幅方向の一端部が、前記ケース本体の幅方向の一端部に枢着されていることにより、前記可動体の幅方向の他端の先端部が、被磁着体から離れた第１配置態様と、被磁着体に近接した第２配置態様の少なくとも２つの配置態様を採ることができるものとなされており、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設され、
前記張設されたスクリーン本体における前記巻取りロールに近接した部位を幅全体にわたって、前記第２配置態様にある可動体の先端部によって被磁着体側に向けて押さえ付け得るものとなされていることを特徴とするマグネットスクリーン。
【請求項７】
前記可動体は、前記第２配置態様の状態で固定できるように構成されている請求項６に記載のマグネットスクリーン。
【請求項８】
前記可動体の幅方向の他端の先端部の横断面視での外形形状は、少なくとも前記スクリーン本体と接触し得る部分が曲面に形成されている請求項６または７に記載のマグネットスクリーン。
【請求項９】
前記収納ケースに、該収納ケースを被磁着体に固定するための磁石が取り付けられている請求項２〜８のいずれか１項に記載のマグネットスクリーン。
【発明の詳細な説明】
【技術分野】
【０００１】
本発明は、例えば、黒板、ホワイトボード等の被磁着面に磁力で固定して使用されるマグネットスクリーンに関する。
【０００２】
なお、本明細書及び特許請求の範囲において、「スクリーン本体の幅」の語は、スクリーン本体を引き出す引き出し方向と直交する方向における長さ（直交する方向におけるスクリーン本体の一端から他端までの距離）を意味する。
【背景技術】
【０００３】
マグネットスクリーンを収納する収納ケースを備えたマグネットスクリーン装置としては、シート体の出入用スリットを備えた筒状の収納ケースと、通常はこの収納ケース内に収納され、使用時に上記出入用スリットから引出されて使用されるマグネットシート体とを備えたシート体の収納装置において、上記収納ケースに、該収納ケースを被磁着面に磁着させる永久磁石を設けるとともに、上記永久磁石を被磁着面から離隔させ、該永久磁石の被磁着面に対する磁着力を低減させて上記収納ケースを被磁着面から容易に離脱させる離脱手段を設けたことを特徴とし、前記マグネットシート体は、通常は上記収納ケース内にスプリング力によって巻上げられて収納され、使用時に上記出入用スリットからスプリング力に抗して引出されて使用されるようになっていることを特徴とするシート体の収納装置が公知である（特許文献１参照）。
【先行技術文献】
【特許文献】
【０００４】
【特許文献１】特開２００６−１６８９１６号公報
【発明の概要】
【発明が解決しようとする課題】
【０００５】
ところで、上記従来のマグネットスクリーン装置は、マグネットスクリーンの特殊コート層を内側にして（巻取りロール側に向けて）、即ちマグネットシート層を外側にして、巻取りロールに捲回されて収納されているので（特許文献１の段落００１０及び図２参照）、巻取りロールに捲回されたマグネットスクリーンを引き出して張設したときに、マグネットスクリーンにおける、引き出し方向と直交する幅方向の両端部が、カーリングして捲れ上がり、被磁着体（黒板、ホワイトボード等）から浮き上がってしまって、マグネットスクリーンの全面を有効面として使用することができない上に、見栄え、外観が良好でないという問題があった。
【０００６】
本発明は、かかる技術的背景に鑑みてなされたものであって、マグネットスクリーンの両端部が、捲れ上がることがなくて、被磁着体から浮き上がりを生じることなく張設することのできるマグネットスクリーンを提供することを目的とする。
【課題を解決するための手段】
【０００７】
前記目的を達成するために、本発明は以下の手段を提供する。
【０００８】
［１］少なくとも、一方の表面にスクリーン層を有し、他方の表面にマグネット層を有するスクリーン本体と、
前記スクリーン本体を巻き取るための巻取りロールと、を備え、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設されるものであることを特徴とするマグネットスクリーン。
【０００９】
［２］収納ケースと、
前記収納ケースに対し回動自在に取り付けられた巻取りロールと、
少なくとも、一方の表面にスクリーン層を有し、他方の表面にマグネット層を有するスクリーン本体と、
前記収納ケースに取り付けられた押さえ部と、を備え、
前記押さえ部の長さは、前記スクリーン本体の幅より大きく設定され、又は前記スクリーン本体の幅と同一に設定され、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設され、
前記張設されたスクリーン本体における前記巻取りロールに近接した部位を幅全体にわたって前記押さえ部によって被磁着体側に向けて押さえ付け得るものとなされていることを特徴とするマグネットスクリーン。
【００１０】
［３］前記押さえ部は、前記収納ケースに対し移動可能に取り付けられ、
前記押さえ部は、被磁着体から離れた第１配置態様と、被磁着体に近接した第２配置態様の少なくとも２つの配置態様を採ることができるものとなされている前項２に記載のマグネットスクリーン。
【００１１】
［４］前記押さえ部は、前記第２配置態様の状態で固定できるように構成されている前項３に記載のマグネットスクリーン。
【００１２】
［５］前記押さえ部は、前記巻取りロールの軸線に対し平行状に配置された棒状体で形成されている前項２〜４のいずれか１項に記載のマグネットスクリーン。
【００１３】
［６］収納ケースと、
前記収納ケースに対し回動自在に取り付けられた巻取りロールと、
少なくとも、一方の表面にスクリーン層を有し、他方の表面にマグネット層を有するスクリーン本体と、を備え、
前記収納ケースの長さは、前記スクリーン本体の幅より大きく設定され、
前記収納ケースは、ケース本体と、可動体とを備え、
前記可動体の幅方向の一端部が、前記ケース本体の幅方向の一端部に枢着されていることにより、前記可動体の幅方向の他端の先端部が、被磁着体から離れた第１配置態様と、被磁着体に近接した第２配置態様の少なくとも２つの配置態様を採ることができるものとなされており、
前記スクリーン本体の巻き取り方向の一端部におけるマグネット層側の面が、前記巻取りロールに接合され、
前記スクリーン本体は、マグネット層側を内側にして前記巻取りロールにロール状に巻き取られている収納状態から使用時に引き出されて張設され、
前記張設されたスクリーン本体における前記巻取りロールに近接した部位を幅全体にわたって、前記第２配置態様にある可動体の先端部によって被磁着体側に向けて押さえ付け得るものとなされていることを特徴とするマグネットスクリーン。
【００１４】
［７］前記可動体は、前記第２配置態様の状態で固定できるように構成されている前項６に記載のマグネットスクリーン。
【００１５】
［８］前記可動体の幅方向の他端の先端部の横断面視での外形形状は、少なくとも前記スクリーン本体と接触し得る部分が曲面に形成されている前項６または７に記載のマグネットスクリーン。
【００１６】
［９］前記収納ケースに、該収納ケースを被磁着体に固定するための磁石が取り付けられている前項２〜８のいずれか１項に記載のマグネットスクリーン。
【発明の効果】
【００１７】
［１］の発明では、スクリーン本体の巻き取り方向の一端部におけるマグネット層側の面が巻取りロールに接合され、スクリーン本体は、マグネット層側を内側にして巻取りロールにロール状に巻き取られて収納される構成であるから、使用時にスクリーン本体を引き出して張設したときに、スクリーン本体の両端部が、捲れ上がることがなくて、スクリーン本体を被磁着体から浮き上がりを生じることなく張設することができる。従って、スクリーン本体のスクリーン層の幅方向の両端部も有効面として使用することができると共に、スクリーン本体の張設時の見栄え、外観も良好である。
【００１８】
［２］の発明では、スクリーン本体の巻き取り方向の一端部におけるマグネット層側の面が巻取りロールに接合され、スクリーン本体は、マグネット層側を内側にして巻取りロールにロール状に巻き取られて収納される構成であるから、使用時にスクリーン本体を引き出して張設したときに、スクリーン本体の両端部が、捲れ上がることがなくて、スクリーン本体を被磁着体から浮き上がりを生じることなく張設することができる。従って、スクリーン本体のスクリーン層の幅方向の両端部も有効面として使用することができると共に、スクリーン本体の張設時の見栄え、外観も良好である。
【００１９】
また、押さえ部の長さは、スクリーン本体の幅より大きく設定され、又はスクリーン本体の幅と同一に設定されているので、張設されたスクリーン本体における巻取りロールに近接した部位を幅全体にわたって押さえ部によって被磁着体側に向けて押さえ付けることができ、これにより、巻取りロールに近接した部位をも被磁着体に磁着させた状態でスクリーン本体を張設することができ、従って、張設されたスクリーン本体のスクリーン層の略全面（略全領域）を有効面として使用することができる。
【００２０】
［３］の発明では、押さえ部は、収納ケースに対し移動可能に取り付けられ、押さえ部は、被磁着体から離れた第１配置態様と、被磁着体に近接した第２配置態様の少なくとも２つの配置態様を採ることができる構成であるから、スクリーン本体を、巻取りロールに巻き取られている収納状態から引き出す時や、スクリーン本体を巻取りロールに巻き取る時に、押さえ部を第１配置態様にすれば、スクリーン本体の引き出し操作、巻き取り操作をスムーズに行うことができる。一方、スクリーン本体を張設したときには、押さえ部を第２配置態様にすることで、スクリーン本体における巻取りロールに近接した部位を幅全体にわたって押さえ部によって被磁着体側に向けて押さえ付けることができる。
【００２１】
［４］の発明では、押さえ部は、第２配置態様の状態で固定できるように構成されているので、張設されたスクリーン本体を、押さえ部によって確実に被磁着体側に向けて押さえ付けることができるものとなる。
【００２２】
［５］の発明では、押さえ部は、巻取りロールの軸線に対し平行状に配置された棒状体で形成されているから、このような簡易な構成でかつ低コストで、張設されたスクリーン本体における収納ケースに近接した部位を幅全体にわたって被磁着体側に向けて押さえ付けることができる。
【００２３】
［６］の発明では、スクリーン本体の巻き取り方向の一端部におけるマグネット層側の面が巻取りロールに接合され、スクリーン本体は、マグネット層側を内側にして巻取りロールにロール状に巻き取られて収納される構成であるから、使用時にスクリーン本体を引き出して張設したときに、スクリーン本体の両端部が、捲れ上がることがなくて、スクリーン本体を被磁着体から浮き上がりを生じることなく張設することができる。従って、スクリーン本体のスクリーン層の幅方向の両端部も有効面として使用することができると共に、スクリーン本体の張設時の見栄え、外観も良好である。
【００２４】
また、収納ケースの長さは、スクリーン本体の幅より大きく設定されているので、張設されたスクリーン本体における巻取りロールに近接した部位を幅全体にわたって、第２配置態様にある可動体の先端部によって被磁着体側に向けて押さえ付けることができ、これにより、巻取りロールに近接した部位をも被磁着体に磁着させた状態でスクリーン本体を張設することができ、従って、張設されたスクリーン本体のスクリーン層の略全面（略全領域）を有効面として使用することができる。
【００２５】
更に、可動体の幅方向の一端部が、ケース本体の幅方向の一端部に枢着されていることにより、可動体の幅方向の他端の先端部が、被磁着体から離れた第１配置態様と、被磁着体に近接した第２配置態様の少なくとも２つの配置態様を採ることができる構成であるから、スクリーン本体を、巻取りロールに巻き取られている収納状態から引き出す時や、スクリーン本体を巻取りロールに巻き取る時に、可動体を第１配置態様にすれば、スクリーン本体の引き出し操作、巻き取り操作をスムーズに行うことができる。一方、スクリーン本体を張設したときには、可動体を第２配置態様にすることで、スクリーン本体における巻取りロールに近接した部位を幅全体にわたって押さえ部によって被磁着体側に向けて押さえ付けることができる。
【００２６】
［７］の発明では、可動体は、第２配置態様の状態で固定できるように構成されているので、張設されたスクリーン本体を、可動体の先端部によって確実に被磁着体側に向けて押さえ付けることができるものとなる。
【００２７】
［８］の発明では、可動体の幅方向の他端の先端部の横断面視での外形形状は、少なくとも前記スクリーン本体と接触し得る部分が曲面に形成されているので、スクリーン本体の引き出し操作、巻き取り操作の際のスクリーン本体の傷付きを十分に防止できる。
【００２８】
［９］の発明では、収納ケースに、該収納ケースを被磁着体に固定するための磁石が取り付けられているから、被磁着体に対する収納ケースの着脱を速やかにかつ容易に行うことができると共に、被磁着体に対して収納ケースを安定状態に固定することができる。
【図面の簡単な説明】
【００２９】
【図１】本発明に係るマグネットスクリーンの一実施形態をスクリーン本体を引き出した張設状態で示す正面図である。
【図２】図１の張設状態のマグネットスクリーンを、収納ケースの一端部を切り欠いて示す右側面図である。
【図３】（Ａ）は、図１におけるＶ−Ｖ線の断面図であり、（Ｂ）は、図１におけるＷ−Ｗ線の断面図である。
【図４】図１のマグネットスクリーンを、スクリーン本体を巻き取っている（又は引き出している）途中状態で示す図であり、（Ａ）は、図１のＶ−Ｖ線と同じ位置での断面図であり、（Ｂ）は図１のＷ−Ｗ線と同じ位置での断面図である。
【図５】図１のマグネットスクリーンを、スクリーン本体の巻き取りを終了した後の収納状態で示す図であり、（Ａ）は、図１のＶ−Ｖ線と同じ位置での断面図であり、（Ｂ）は図１のＷ−Ｗ線と同じ位置での断面図である。
【図６】押さえ部を移動可能に取り付けるための取付具を示す図であり、（Ａ）はベース板に対し可動片を重ね合わせて閉じた状態を示し、（Ｂ）はベース板に対し可動片を約９０度開いた状態を示し、（Ｃ）は（Ｂ）の左側面図である。
【図７】本発明に係るマグネットスクリーンの他の実施形態をスクリーン本体を引き出した張設状態で示す正面図である。
【図８】図７の張設状態のマグネットスクリーンを、収納ケースの一部を切り欠いて示す右側面図である。
【図９】（Ａ）は、図７におけるＹ−Ｙ線の切断端面図であり、（Ｂ）は、図７におけるＺ−Ｚ線の断面図である。
【図１０】図７のマグネットスクリーンを、スクリーン本体を巻き取っている（又は引き出している）途中状態で示す図であり、（Ａ）は、図７のＹ−Ｙ線と同じ位置での切断端面図であり、（Ｂ）は図７のＺ−Ｚ線と同じ位置での断面図である。
【図１１】図７のマグネットスクリーンを、スクリーン本体の巻き取りを終了した後の収納状態で示す図であり、（Ａ）は、図７のＹ−Ｙ線と同じ位置での切断端面図であり、（Ｂ）は図７のＺ−Ｚ線と同じ位置での断面図である。
【発明を実施するための形態】
【００３０】
図１は、本発明に係るマグネットスクリーンの一実施形態をスクリーン本体を引き出した張設状態で示す正面図である。このマグネットスクリーン１は、収納ケース２と、巻取りロール３と、スクリーン本体４と、押さえ部５と、を備えている。
【００３１】
前記収納ケース２は、例えば金属や合成樹脂等で形成された横長の容器からなる。前記収納ケース２に巻取りロール３が回動自在に取り付けられている。前記巻取りロール３は、前記収納ケース２内に収容されている。通常、非使用時には、前記巻取りロール３にロール状に巻き取られたスクリーン本体４が、前記収納ケース２内に収容されている（図５（Ａ）参照）。前記収納ケース２には、スクリーン本体４の引き出し、巻き取りを行うための開口部２Ｂが、ケース２の長さ方向に沿って形成されている（図３〜５参照）。
【００３２】
前記巻取りロール３には、図示しないスプリングにより、前記スクリーン本体４を巻き取ることのできる巻き取り力が常時付与されている。
【００３３】
前記スクリーン本体４は、少なくとも、一方の表面にスクリーン層４ａを有し、他方の表面にマグネット層４ｂを有する構成である（図１、３参照）。前記スクリーン本体４は、通常は、平面視略矩形状に形成されている。
【００３４】
前記スクリーン本体４の一端部（巻取りロール側の端部）におけるマグネット層４ｂ側の面が前記巻取りロール３に接合されている。従って、非使用時等には、スクリーン本体４は、マグネット層４ｂ側を内側にして（即ちスクリーン層４ａ側を外側にして）巻取りロール３にロール状に巻き取られて、収納ケース２内に収容されている（図３（Ａ）及び図５（Ａ）参照）。
【００３５】
前記スクリーン本体４の先端側縁部（引き出す方向側の縁部）に固定用バー８が接合されている（図１参照）。前記固定用バー８の長さ方向の両端部に図示しない永久磁石が埋設されており、この永久磁石の磁力によって固定用バー８を被磁着体９０に固定することができる。前記固定用バー８の長さ方向の略中心位置に取手９が設けられている（図１参照）。
【００３６】
前記押さえ部５は、前記巻取りロール３の軸線に対し平行状に配置された棒状体で形成されている（図１、２参照）。即ち、前記棒状体からなる押さえ部５の軸線と、前記巻取りロール３の軸線が、平行状になるように、前記押さえ部５が配置されている。前記棒状体の横断面視での外形形状（外周面の形状）は、円弧面に形成されている（図３参照）。前記押さえ部５の長さは、スクリーン本体４の幅より大きく、収納ケース２の長さより短い（図１参照）。
【００３７】
前記収納ケース２の長さ方向の両端部に図示しない永久磁石が埋設されており、この永久磁石の磁力によって収納ケース２を被磁着体９０に固定することができる。
【００３８】
前記収納ケース２内における長さ方向の両端部に取付具１０、１０が取り付けられている（図２参照）。図６に示すように、前記取付具１０は、ベース板１１と、可動片１２とを備えている。前記ベース板１１の一端部と、前記可動片１２の一端部とが枢軸１３で枢着されている（図６参照）。前記可動片１２における前記枢軸１３側の一端部から係止用湾曲突片１５が延設されている。また、前記ベース板１１の内面に係止板１４が接合されている。前記係止板１４における前記枢軸１３側の一端部１４ａは、図６（Ａ）に示すように、前記可動片１２側に斜めに屈曲した態様に成形されている。しかして、図６（Ａ）に示すように、前記ベース板１１に対して可動片１２を重ね合わせた状態では、前記斜め屈曲片１４ａと前記係止用湾曲突片１５は、ほぼ互いに干渉し合わない状態になっており、一方、図６（Ｂ）に示すように、ベース板１１に対して可動片１２を略直角になる状態まで開くと、可動片１２の係止用湾曲突片１５により前記係止板１４の斜め屈曲片１４ａがベース板１１の側に向けて押し込まれ、該押し込まれたことによる前記斜め屈曲片１４ａの反発力（図６（Ａ）の状態に戻ろうとする復帰反発力）が存在する状態下において、可動片１２をベース板１１に重ね合わせる方向に動かそうとすると（図６（Ａ）の状態に戻そうとすると）、係止用湾曲突片１５が、斜め屈曲片１４ａをベース板１１の側に向けてさらに押し込むことになるので、斜め屈曲片１４ａの反発力の影響により、小さい力では可動片１２を動かすことはできず、従って、前記可動片１２は、前記ベース板１１に対して略直角に開いた状態でロック状態になる（図６（Ｂ）参照）。そして、図６（Ｂ）に示すロック状態（安定状態）から、少し強い力を用いて可動片１２をベース板１１の側に向けて約１０〜約３０度程度傾けて近づけると、前記ロック状態（可動片１２がベース板１１に対して略直角に開いた状態でのロック状態）が解消されて、その後は自然に（力を入れなくても）図６（Ａ）に示すベース板１１に対して可動片１２が重ね合わされた状態まで戻る。ベース板１１に対して可動片１２が重ね合わされた状態が、斜め屈曲片１４ａと係止用湾曲突片１５とが最も干渉し合わないので、従って、前記ロック状態が解消された後、力が加えられていない状態では、自然に、図６（Ａ）に示すベース板１１に対して可動片１２が重ね合わされた状態まで戻る。前記取付具１０の市販品としては、株式会社栃木屋製の「ステンレスパチン錠ＴＬ−３４５」を例示できる。
【００３９】
図２、３に示すように、前記収納ケース２の底壁２ａの長さ方向の両端部のそれぞれに、断面形状が略コの字状の支持部材１７の下板部１７ａが固定され、該支持部材１７の上板部１７ｂに、固定用板１８の長さ方向の一端側が接合固定されている。前記固定用板１８の長さ方向の他端側に、前記取付具１０のベース板１１が固定されている。このような取付構造により、前記収納ケース２内における長さ方向の両端部に取付具１０、１０が取り付けられている（図２参照）。
【００４０】
前記一端側の取付具１０の可動片１２に前記押さえ部５の長さ方向の一端部が固定されると共に、前記他端側の取付具１０の可動片１２に該押さえ部５の長さ方向の他端部が固定されている（図２、３参照）。即ち、前記収納ケース２に、取付具１０を介して押さえ部５が取り付けられている。
【００４１】
そして、図４に示すように、ベース板１１に可動片１２を重ね合わせた状態にすることで、押さえ部５を被磁着体９０から離した態様（第１配置態様）に固定することができる一方、図３、５に示すように、ベース板１１に対して可動片１２を略９０度開いたロック状態にすることで、押さえ部５を被磁着体９０に近接した態様（第２配置態様）に固定することができる。このように、押さえ部５は、収納ケース２に対し移動可能に取り付けられている。
【００４２】
次に、上記構成のマグネットスクリーン１の使用手順を説明する。通常は、持ち運び時や格納時等の非使用時には、スクリーン本体４は、マグネット層４ｂを内側にして（即ちスクリーン層４ａを外側にして）巻取りロール３にロール状に巻き取られて収納ケース２に収納された状態になっている（図５参照）。
【００４３】
使用時には、まず、収納ケース２（の底壁２ａ）を、黒板、ホワイトボード等の被磁着体９０に磁着させる（図５参照）。次いで、固定用バー８の取手９を手で持って引っ張ることによりスクリーン本体４を引き出していくのであるが、この時、スクリーン本体４が被磁着体９０に近接した位置にあると、スクリーン本体４が被磁着体９０に磁着しやすくて引き出し操作をスムーズに行い難いし、スクリーン本体４の表面に傷が付くことがあることから、引き出しを開始する前に、図４に示すように、ベース板１１に可動片１２を重ね合わせた状態（ロック状態）にして、押さえ部５を被磁着体９０から離した態様（第１配置態様）に固定する。そして、この第１配置態様の状態でスクリーン本体４を引き出していく（図４参照）。このような引き出し操作を行うことにより、スクリーン本体４をスムーズに引き出して張設することができるし、スクリーン本体４に傷が付くことも防止できる。
【００４４】
スクリーン本体４の引き出し操作が完了した後、固定用バー８を被磁着体９０に磁着させて固定すると共に、図３に示すように、ベース板１１に対して可動片１２を略９０度開いた状態のロック状態にすることで、押さえ部５を被磁着体９０に近接させた態様（第２配置態様）に固定することにより、スクリーン本体４（のマグネット層４ｂ）を被磁着体９０に磁着させて、スクリーン本体４を張設する。
【００４５】
この時、スクリーン本体４は、マグネット層４ｂ側を内側にして（スクリーン層４ａ側を外側にして）巻取りロール３に巻き取られた収納状態から引き出されているので、スクリーン本体４の両端部が、捲れ上がることがなくて、被磁着体９０から浮き上がりを生じることなくスクリーン本体４を張設することができる。従って、スクリーン本体４のスクリーン層４ａの幅方向の両端部も有効面として使用することができると共に、スクリーン本体４の張設時の見栄え、外観も良好なものとなる。
【００４６】
更に、張設されたスクリーン本体４における巻取りロール３に近接した部位を幅全体にわたって押さえ部５によって被磁着体９０側に向けて押さえ付けることができるので（図３（Ａ）参照）、巻取りロール３に近接した部位をも被磁着体９０に磁着させた状態でスクリーン本体４を張設することができ、これにより、引き出されたスクリーン本体４のスクリーン層４ａの略全面（略全領域）を有効面として使用することができる。
【００４７】
使用後に、スクリーン本体４を巻取りロール３に巻き取って収納ケース２に収納する際には、巻き取りを開始する前に、図４に示すように、前記略９０度開いたロック状態を解除し、ベース板１１に可動片１２を重ね合わせた状態にして、押さえ部５を被磁着体９０から離した態様（第１配置態様）に固定する。そして、固定用バー８を被磁着体９０から離間させると共に、スクリーン本体４も被磁着体９０から離間させて浮かせた状態で、前記スプリング（図示しない）により付与される巻き取り力によって巻取りロール３にスクリーン本体４を巻き取らせていく（図４参照）。このような巻き取り操作を行うことにより、スクリーン本体４をスムーズに巻き取って収納することができるし、スクリーン本体４に傷が付くことも防止できる。
【００４８】
スクリーン本体４の巻き取りを終了したとき、図５に示すように、ベース板１１に対して可動片１２を略９０度開いたロック状態にして、この開いた状態の可動片１２に固定用バー８を当接させた状態にすることにより、固定用バー８をできるだけ巻取りロール３に近い位置で収容する。このような収容を行うことにより、マグネットスクリーン１の格納スペースを低減させることができる。
【００４９】
なお、前記押さえ部５を被磁着体９０から離した第１配置態様において、前記押さえ部５と前記被磁着体９０との離間間隔（距離）は、２０ｍｍ〜７０ｍｍに設定されるのが好ましい（図４参照）。
【００５０】
また、前記押さえ部５を被磁着体９０に近接させた第２配置態様において、前記押さえ部５と前記被磁着体９０との離間間隔（距離）は、１ｍｍ〜１５ｍｍに設定されるのが好ましく、中でも２ｍｍ〜８ｍｍに設定されるのが特に好ましい（図３、５参照）。
【００５１】
次に、本発明に係るマグネットスクリーンの他の実施形態について説明する。図７は、他の実施形態をスクリーン本体を引き出した張設状態で示す正面図である。このマグネットスクリーン１は、収納ケース２と、巻取りロール３と、スクリーン本体４と、を備えている。
【００５２】
前記収納ケース２は、例えば金属や合成樹脂等で形成された横長の容器からなる。本実施形態では、前記収納ケース２は、ケース本体２１と、可動体２４と、からなる（図９〜１１）。前記ケース本体２１は、横断面形状が略Ｌ字形状である（図９参照）。前記ケース本体２１の幅方向の一端部（図９で上端部）に、該ケース本体２１の長さ方向に沿って枢着用内側軸部２２が設けられている。前記枢着用内側軸部２２の外周面の横断面形状は、開口部を除いて円弧面に形成されている。前記可動体２４の幅方向の一端部（図９で右端部）に、該可動体２４の長さ方向に沿って枢着用外側中空軸部２５が設けられている。前記枢着用外側中空軸部２５は、中空部を有し、該中空軸部２５の内周面の横断面形状は、開口部を除いて円弧面に形成されている。しかして、図９に示すように、前記可動体２４の枢着用外側中空軸部２５の中空部に、前記ケース本体２１の枢着用内側軸部２２が挿通配置されることによって、可動体２４の幅方向の一端部が、ケース本体２１の幅方向の一端部に枢着されている。
【００５３】
前記収納ケース２に巻取りロール３が回動自在に取り付けられている。前記巻取りロール３は、前記収納ケース２内に収容されている。通常、非使用時には、前記巻取りロール３にロール状に巻き取られたスクリーン本体４が、前記収納ケース２内に収容されている（図１１（Ａ）参照）。前記収納ケース２には、スクリーン本体４の引き出し、巻き取りを行うための開口部２Ｂが、ケース２の長さ方向に沿って形成されている（図９〜１１参照）。即ち、前記可動体２４の幅方向の他端の先端部２６と、前記ケース本体２１の幅方向の他端部（図９で左端部）との間に、ケース２の長さ方向に沿って延びる開口部２Ｂが設けられている。
【００５４】
前記巻取りロール３には、図示しないスプリングにより、前記スクリーン本体４を巻き取ることのできる巻き取り力が常時付与されている。
【００５５】
前記スクリーン本体４は、少なくとも、一方の表面にスクリーン層４ａを有し、他方の表面にマグネット層４ｂを有する構成である（図７、９参照）。前記スクリーン本体４は、通常は、平面視略矩形状に形成されている。
【００５６】
前記スクリーン本体４の一端部（巻取りロール側の端部）におけるマグネット層４ｂ側の面が前記巻取りロール３に接合されている。従って、非使用時等には、スクリーン本体４は、マグネット層４ｂ側を内側にして（即ちスクリーン層４ａ側を外側にして）巻取りロール３にロール状に巻き取られて、収納ケース２内に収容されている（図９（Ａ）及び図１１（Ａ）参照）。
【００５７】
前記スクリーン本体４の先端側縁部（引き出す方向側の縁部）に固定用バー８が接合されている（図７参照）。前記固定用バー８の長さ方向の両端部に図示しない永久磁石が埋設されており、この永久磁石の磁力によって固定用バー８を被磁着体９０に固定することができる。前記固定用バー８の長さ方向の略中心位置に取手９が設けられている（図７参照）。
【００５８】
前記収納ケース２の長さ方向の両端部に図示しない永久磁石が埋設されており、この永久磁石の磁力によって収納ケース２を被磁着体９０に固定することができる。
【００５９】
前記収納ケース２内における長さ方向の両端部のそれぞれに、固定用第１部材３１及び固定用第２部材３３が取り付けられている（図８参照）。即ち、図８に示すように、前記ケース本体２１の底壁２ａの長さ方向の両端部のそれぞれに、断面形状が略コの字状の支持部材１７の下板部１７ａが固定され、該支持部材１７の上板部１７ｂに固定用第１部材３１が固定されている。更に、図８に示すように、可動体２４の内面の長さ方向の両端部のそれぞれに、固定用第２部材３３が固定されている。
【００６０】
前記ケース本体２１の長さ方向の両端部に固定された固定用第１部材３１は、図１０（Ｂ）に示すように、その上端部に、一対の係止用アーム部３２が取り付けられている。前記一対の係止用アーム部３２の互いの対向面に係止用凹部３２ａが形成されている（図１０（Ｂ）参照）。一方、前記可動体２４の長さ方向の両端部に固定された固定用第２部材３３は、図１０（Ｂ）に示すように、その下端部に、係止用台座部３４が固定されている。前記係止用台座部３４の先端には、左右一対の係止用凸部３４ａが突設されている（図１０（Ｂ）参照）。そして、固定用第２部材３３の係止用凸部３４ａが、固定用第１部材３１の一対の係止用アーム部３２の間に押し込まれると、係止用凸部３４ａが、係止用アーム部３２の係止用凹部３２ａに係合されて、ロック状態になるように構成されている。即ち、ロック状態になって固定用第２部材３３と固定用第１部材３１とが互いに固定されるように構成されている（図９（Ｂ）、図１１（Ｂ）参照）。一方、このような固定状態から、可動体２４を開口部２Ｂを閉じるように少し強い力で押し込むと、前記ロック状態が解消されて、固定用第２部材３３の係止用凸部３４ａが、固定用第１部材３１の一対の係止用アーム部３２から離脱して、固定用第２部材３３と固定用第１部材３１とを分離できるように構成されている（図１０（Ｂ）参照）。前記固定用第１部材３１の市販品としては、スガツネ工業株式会社製の「プッシュラッチＥＳＮ−１９５／ＢＬＫ」を例示できる。前記固定用第２部材３３の市販品としては、スガツネ工業株式会社製の「ストライクＥＳＮ−１９５−ＳＴ」を例示できる。
【００６１】
上記マグネットスクリーン１の使用手順を説明する。通常は、持ち運び時や格納時等の非使用時には、スクリーン本体４は、マグネット層４ｂを内側にして（即ちスクリーン層４ａを外側にして）巻取りロール３にロール状に巻き取られて収納ケース２に収納された状態になっている（図１１参照）。
【００６２】
使用時には、まず、収納ケース２（の底壁２ａ）を、黒板、ホワイトボード等の被磁着体９０に磁着させる（図１１参照）。次いで、固定用バー８の取手９を手で持って引っ張ることによりスクリーン本体４を引き出していくのであるが、この時、スクリーン本体４が被磁着体９０に近接した位置にあると、スクリーン本体４が被磁着体９０に磁着しやすくて引き出し操作をスムーズに行い難いし、スクリーン本体４の表面に傷が付くことがあることから、引き出しを開始する前に、図１０に示すように、可動体２４を開口部２Ｂを閉じるように少し強い力で押し込むことによって、前記ロック状態を解消せしめて、即ち固定用第２部材３３の係止用凸部３４ａを、固定用第１部材３１の一対の係止用アーム部３２から離脱させて、次いで開口部２Ｂを開くように可動体２４を手で動かして、可動体２４の先端部２６を被磁着体９０から離した態様（第１配置態様）にする。そして、この第１配置態様の状態でスクリーン本体４を引き出していく（図１０参照）。このような引き出し操作を行うことにより、スクリーン本体４をスムーズに引き出して張設することができるし、スクリーン本体４に傷が付くことも防止できる。更に、前記可動体２４の先端部２６の横断面視での外形形状は、少なくとも前記スクリーン本体４と接触し得る部分が円弧面に形成されているので（図１０参照）、引き出し操作の際のスクリーン本体４の傷付きを十分に防止することができる。
【００６３】
スクリーン本体４の引き出し操作が完了した後、固定用バー８を被磁着体９０に磁着させて固定すると共に、図９に示すように、可動体２４を手で持って開口部２Ｂを閉じるようにケース本体２１に近づけていき、可動体２４の先端部２６を被磁着体９０に近接させた態様（第２配置態様）に固定することにより、スクリーン本体４（のマグネット層４ｂ）を被磁着体９０に磁着させて、スクリーン本体４を張設する。この時、ケース本体２１に対し可動体２４を開口部２Ｂを閉じるように近づけていくと、図９（Ｂ）に示すように、収納ケース２の両端部において、可動体２４に固定された固定用第２部材３３の係止用凸部３４ａが、ケース本体２１に固定された固定用第１部材３１の一対の係止用アーム部３２の係止用凹部３２ａに係合されて、ロック状態になるから、即ち固定用第２部材３３と固定用第１部材３１とが相互に固定されるから、前記可動体２４は、被磁着体９０に近接した第２配置態様でケース本体２１に固定された状態になる（図９参照）。このような状態でスクリーン本体４を張設する。
【００６４】
上記張設されたスクリーン本体４は、マグネット層４ｂ側を内側にして（スクリーン層４ａ側を外側にして）巻取りロール３に巻き取られた収納状態から引き出されたものであるので、スクリーン本体４の両端部が、捲れ上がることがなくて、このように被磁着体９０から浮き上がりを生じることなくスクリーン本体４を張設することができる。従って、スクリーン本体４のスクリーン層４ａの幅方向の両端部も有効面として使用することができると共に、スクリーン本体４の張設時の見栄え、外観も良好なものとなる。
【００６５】
更に、張設されたスクリーン本体４における巻取りロール３に近接した部位を幅全体にわたって可動体２４の先端部２６によって被磁着体９０側に向けて押さえ付けることができるので（図９（Ａ）参照）、巻取りロール３に近接した部位をも被磁着体９０に磁着させた状態でスクリーン本体４を張設することができ、従って、引き出されたスクリーン本体４のスクリーン層４ａの略全面（略全領域）を有効面として使用できる。
【００６６】
使用後に、スクリーン本体４を巻取りロール３に巻き取って収納ケース２に収納する際には、巻き取りを開始する前に、図１０に示すように、可動体２４を開口部２Ｂを閉じるように少し強い力で押し込むことによって、前記ロック状態を解消せしめて、即ち固定用第２部材３３の係止用凸部３４ａを、固定用第１部材３１の一対の係止用アーム部３２から離脱させて、次いで開口部２Ｂを開くように可動体２４を手で動かして、可動体２４の先端部２６を被磁着体９０から離した態様（第１配置態様）にする。そして、固定用バー８を被磁着体９０から離間させると共に、スクリーン本体４も被磁着体９０から離間させて浮かせた状態で、前記スプリング（図示しない）により付与される巻き取り力によって巻取りロール３にスクリーン本体４を巻き取らせていく（図１０参照）。このような巻き取り操作を行うことにより、スクリーン本体４をスムーズに巻き取って収納することができるし、スクリーン本体４に傷が付くことも防止できる。更に、前記可動体２４の先端部２６の横断面視での外形形状は、少なくとも前記スクリーン本体４と接触し得る部分が円弧面に形成されているので（図１０参照）、巻き取り操作の際のスクリーン本体４の傷付きを十分に防止することができる。
【００６７】
スクリーン本体４の巻き取りを終了したとき、図１１に示すように、可動体２４の先端部２６を被磁着体９０に近接させた態様（第２配置態様）に固定して、この第２配置態様の可動体２４の外面に固定用バー８を当接させた状態にすることにより、固定用バー８をできるだけ巻取りロール３に近い位置で収容する。このような収容を行うことにより、マグネットスクリーン１の格納スペースを低減させることができる。
【００６８】
なお、前記可動体２４の先端部２６を被磁着体９０から離した第１配置態様において、前記可動体２４の先端部２６と前記被磁着体９０との離間間隔（距離）は、２０ｍｍ〜７０ｍｍに設定されるのが好ましい（図１０参照）。
【００６９】
また、前記可動体２４の先端部２６を被磁着体９０に近接させた第２配置態様において、前記可動体２４の先端部２６と前記被磁着体９０との離間間隔（距離）は、１ｍｍ〜１５ｍｍに設定されるのが好ましく、中でも２ｍｍ〜８ｍｍに設定されるのが特に好ましい（図９、１１参照）。
【００７０】
本発明において、前記スクリーン本体４は、少なくとも、一方の表面にスクリーン層４ａを有し、他方の表面にマグネット層４ｂを有する構成である。即ち、前記スクリーン本体４としては、マグネット層４ｂにスクリーン層４ａが積層された２層構成であってもよいし、スクリーン層４ａとマグネット層４ｂの間に１ないし複数の層が介在した積層構成であってもよい。
【００７１】
前記マグネット層４ｂとしては、特に限定されるものではないが、例えば、合成樹脂又はゴム（ニトリルゴム等）に磁粉（フェライト粉末等）を混合した組成物からなるシート等が挙げられる。また、前記スクリーン層４ａとしては、特に限定されるものではないが、例えば、塩化ビニル樹脂フィルムとフッ素樹脂フィルムの積層体（フッ素樹脂フィルムが最表面に配置される）等が挙げられる。
【００７２】
即ち、前記スクリーン本体４としては、特に限定されるものではないが、例えば、フッ素樹脂フィルム／塩化ビニル樹脂フィルム／マグネット層４ｂの３層積層構成等を例示できる。前記スクリーン層４ａの表面（フッ素樹脂フィルムの表面）に、ホワイトボードマーカでの筆記と消しを行うことができる。
【産業上の利用可能性】
【００７３】
本発明のマグネットスクリーンは、例えば、黒板、ホワイトボード等の被磁着面に磁力で固定して使用されるものであり、張設されたスクリーン本体のスクリーン層に、映像、画像、文字情報等が映写されて使用される。
【符号の説明】
【００７４】
１…マグネットスクリーン
２…収納ケース
３…巻取りロール
４…スクリーン本体
４ａ…スクリーン層
４ｂ…マグネット層
５…押さえ部
２１…ケース本体
２４…可動体
２６…可動体の先端部
９０…被磁着体
【図１】
2015045715.tif 000003
【図２】
2015045715.tif 000004
【図３】
2015045715.tif 000005
【図４】
2015045715.tif 000006
【図５】
2015045715.tif 000007
【図６】
2015045715.tif 000008
【図７】
2015045715.tif 000009
【図８】
2015045715.tif 000010
【図９】
2015045715.tif 000011
【図１０】
2015045715.tif 000012
【図１１】
2015045715.tif 000013